(57)【要約】【課題】横倒しの状態等で表示された画像を、正常な状態に回転させるとともに、僅かな角度傾いた状態で表示された画像も、正常な状態に回転させる。【解決手段】ＬＣＤ２０を備えた情報処理装置において、ＬＣＤに、画像データに基づく画像と、左回転ボタン８４と、右回転ボタン８６と、調整スライダ８８とが表示される。そして、左回転ボタン、若しくは、右回転ボタン８６が操作された場合には、ＬＣＤに表示された画像が、９０度回転する。一方、調整スライダのスライド部９８が操作された場合には、ＬＣＤに表示された画像が、９０度以下に設定された設定角度以下の任意の角度に回転する。これにより、横倒しの状態等で表示された画像を、正常な状態に回転させるとともに、僅かな角度傾いた状態で表示された画像も、正常な状態に回転させることが可能となる。【選択図】図３
2020120395.tif 000002
【特許請求の範囲】
【請求項１】
ユーザ操作に応じた信号を出力する操作部と、表示部とを備えた情報処理装置のコンピュータが読み取り可能な制御プログラムであって、
前記コンピュータを、
画像データに基づく画像、第１操作子、前記第１操作子とは異なる第２操作子を前記表示部に表示させる表示手段と、
前記操作部が前記第１操作子への操作を示す信号を出力した場合に、前記表示手段によって前記表示部に表示された画像を、所定の角度毎に回転させる第１画像回転手段と、
前記操作部が前記第２操作子への操作を示す信号を出力した場合に、前記表示手段によって前記表示部に表示された画像を、前記所定の角度以下に設定された設定角度以下の任意の角度に回転させる第２画像回転手段と、
して機能させることを特徴とする制御プログラム。
【請求項２】
前記第２操作子は、
前記操作部が出力した信号に応じて、前記表示部において、所定の方向にスライド動作が可能なスライド部を有し、
前記第２画像回転手段は、
前記操作部が前記スライド部のスライド動作を示す信号を出力した場合に、前記表示手段によって前記表示部に表示された画像を、前記設定角度以下の任意の角度に回転させることを特徴とする請求項１に記載の制御プログラム。
【請求項３】
前記スライド部は、
前記操作部が前記所定の方向への連続的な変位を示す信号を出力した場合に、前記所定の方向にスライドすることを特徴とする請求項２に記載の制御プログラム。
【請求項４】
前記表示手段は、
さらに、第３操作子を前記表示部に表示させ、
前記操作部が前記第３操作子への操作を示す信号を出力した場合に、表示された画像データに基づく画像とともに、当該画像をトリミングするためのトリミング枠を前記表示部に表示させ、
前記第１画像回転手段は、
前記表示部に前記トリミング枠が前記表示手段によって前記表示部に表示された画像とともに表示された状態において、前記操作部が前記第１操作子への操作を示す信号を出力した場合に、当該画像と前記トリミング枠との両方を、所定の角度毎に回転させ、
前記第２画像回転手段は、
前記表示部に前記トリミング枠が前記表示手段によって前記表示部に表示された画像とともに表示された状態において、前記操作部が前記第２操作子への操作を示す信号を出力した場合に、当該画像を前記設定角度以下の任意の角度に回転させ、前記トリミング枠を回転させないことを特徴とする請求項１乃至３の何れか１項に記載の制御プログラム。
【請求項５】
前記表示手段は、
前記操作部が前記第３操作子への操作を示す信号を出力した場合に、前記表示部に表示された画像を、前記トリミング枠にトリミングされた状態で前記表示部に表示させ、 
前記表示手段によって画像が前記トリミング枠にトリミングされた状態で前記表示部に表示された状態において、前記操作部が前記第１操作子への操作を示す信号を出力し、前記第１画像回転手段によって当該画像が回転される際、又は、前記表示手段によって画像が前記トリミング枠にトリミングされた状態で前記表示部に表示された状態において、前記操作部が前記第２操作子への操作を示す信号を出力し、前記第２画像回転手段によって当該画像が回転される際に、当該画像の前記トリミング枠の内側だけでなく外側も前記表示部に表示させることを特徴とする請求項４に記載の制御プログラム。
【請求項６】
前記所定の角度は、９０度であることを特徴とする請求項１乃至５の何れか１項に記載の制御プログラム。
【請求項７】
前記表示手段は、
スキャンデータに基づく画像を前記表示部に表示させることを特徴とする請求項１乃至６の何れか１項に記載の制御プログラム。
【請求項８】
前記第２画像回転手段は、
前記スキャンデータのスキャン条件が第１条件である場合に、前記操作部が前記第２操作子への操作を示す信号を出力したときは、前記表示手段によって前記表示部に表示された画像を、前記所定の角度以下に設定された第１の設定角度以下の任意の角度に回転させ、
前記スキャンデータのスキャン条件が第２条件である場合に、前記操作部が前記第２操作子への操作を示す信号を出力したときは、前記表示手段によって前記表示部に表示された画像を、前記第１の設定角度より小さな角度に設定された第２の設定角度未満の任意の角度に回転させることを特徴とする請求項７に記載の制御プログラム。
【請求項９】
ユーザ操作に応じた信号を出力する操作部と、
表示部と、
制御部と、
を備えた情報処理装置であって、
前記制御部は、
画像データに基づく画像、第１操作子、前記第１操作子とは異なる第２操作子を前記表示部に表示させる表示手段と、
前記操作部が前記第１操作子への操作を示す信号を出力した場合に、前記表示手段によって前記表示部に表示された画像を、所定の角度毎に回転させる第１画像回転手段と、
前記操作部が前記第２操作子への操作を示す信号を出力した場合に、前記表示手段によって前記表示部に表示された画像を、前記所定の角度以下に設定された設定角度以下の任意の角度に回転させる第２画像回転手段と、
を有することを特徴とする情報処理装置。
【発明の詳細な説明】
【技術分野】
【０００１】
本発明は、画像データに基づく画像を表示部に表示させるための制御プログラムおよび、情報処理装置に関する。
【背景技術】
【０００２】
画像データに基づく画像が表示部に表示される際には、画像が、正常な状態から９０度、若しくは、１８０度傾いた状態で表示部に表示される場合がある。つまり、画像が、横倒しの状態、若しくは、上下方向にひっくり返った状態で表示部に表示される場合がある。下記特許文献には、横倒しの状態、若しくは、上下方向にひっくり返った状態で表示された画像を、９０度、若しくは、１８０度回転させ、正常な状態の画像を表示させるための技術が記載されている。
【先行技術文献】
【特許文献】
【０００３】
【特許文献１】特開２００１−１１１８０９号公報
【発明の概要】
【発明が解決しようとする課題】
【０００４】
上記特許文献に記載の技術によれば、横倒しの状態、若しくは、上下方向にひっくり返った状態で表示された画像を、正常な状態で表示部に表示させることが可能となる。しかしながら、表示部に表示された画像を、僅かに回転させることが望まれる場合がある。例えば、原稿がスキャナのフラットベッド等にセットされる際に、原稿が僅かに傾いていた場合には、その原稿のスキャンデータに基づく画像は、正常な状態から僅かな角度傾いた状態で表示部に表示される。このような場合には、表示部に表示された画像をわずかな角度回転させることが望まれる。本発明は、そのような事情に鑑みてなされたものであり、横倒しの状態等で表示された画像を、正常な状態に回転させるとともに、僅かな角度傾いた状態で表示された画像を、正常な状態に回転させるための技術を提供する。
【課題を解決するための手段】
【０００５】
上記課題を解決するために、本発明の制御プログラムは、ユーザ操作に応じた信号を出力する操作部と、表示部とを備えた情報処理装置のコンピュータが読み取り可能な制御プログラムであって、前記コンピュータを、画像データに基づく画像、第１操作子、前記第１操作子とは異なる第２操作子を前記表示部に表示させる表示手段と、前記操作部が前記第１操作子への操作を示す信号を出力した場合に、前記表示手段によって前記表示部に表示された画像を、所定の角度毎に回転させる第１画像回転手段と、前記操作部が前記第２操作子への操作を示す信号を出力した場合に、前記表示手段によって前記表示部に表示された画像を、前記所定の角度以下に設定された設定角度以下の任意の角度に回転させる第２画像回転手段と、して機能させることを特徴とする。
【０００６】
また、上記課題を解決するために、本発明の情報処理装置は、ユーザ操作に応じた信号を出力する操作部と、表示部と、制御部と、を備えた情報処理装置であって、前記制御部は、画像データに基づく画像、第１操作子、前記第１操作子とは異なる第２操作子を前記表示部に表示させる表示手段と、前記操作部が前記第１操作子への操作を示す信号を出力した場合に、前記表示手段によって前記表示部に表示された画像を、所定の角度毎に回転させる第１画像回転手段と、前記操作部が前記第２操作子への操作を示す信号を出力した場合に、前記表示手段によって前記表示部に表示された画像を、前記所定の角度以下に設定された設定角度以下の任意の角度に回転させる第２画像回転手段と、を有することを特徴とする。
【発明の効果】
【０００７】
本明細書の実施形態として記載の制御プログラム、および、情報処理装置では、表示部に、画像データに基づく画像と、第１操作子と、第２操作子とが表示される。そして、第１操作子が操作された場合には、表示部に表示された画像が、所定の角度毎に回転する。一方、第２操作子が操作された場合には、表示部に表示された画像が、その所定の角度以下に設定された設定角度以下の任意の角度に回転する。これにより、横倒しの状態等で表示された画像を、正常な状態に回転させるとともに、僅かな角度傾いた状態で表示された画像も、正常な状態に回転させることが可能となる。
【図面の簡単な説明】
【０００８】
【図１】通信システム１のブロック図である。
【図２】編集画面７０を示す図である。
【図３】回転処理画面８０を示す図である。
【図４】回転処理画面８０を示す図である。
【図５】回転処理画面８０を示す図である。
【図６】編集画面７０を示す図である。
【図７】トリミング処理画面１００を示す図である。
【図８】編集画面７０を示す図である。
【図９】回転処理画面８０を示す図である。
【図１０】回転処理画面８０を示す図である。
【図１１】編集画面７０を示す図である。
【図１２】回転処理画面８０を示す図である。
【図１３】編集画面７０を示す図である。
【図１４】表示アプリケーション３６のフローチャートを示す図である。
【図１５】表示アプリケーション３６のフローチャートを示す図である。
【図１６】表示アプリケーション３６のフローチャートを示す図である。
【発明を実施するための形態】
【０００９】
＜実施形態＞
図１に、本願に係る実施形態として例示される通信システム１のブロック図を示す。通信システム１は、携帯電話（本発明の情報処理装置の一例）１０、スキャナ５０、アクセスポイント５２、基地局５６を備える。スキャナ５０は、フラットベットとＡＤＦ（Auto Document Feederの略）とを有しており、フラットベットとＡＤＦとの何れかにセットされた原稿をスキャンし、スキャンデータを作成する。また、アクセスポイント５２は、無線ＬＡＮアクセスポイント、及びルーターとしての機能を備え、スキャナ５０と接続されている。
【００１０】
携帯電話１０の構成について説明する。携帯電話１０は、ＣＰＵ（Central Processing Unitの略）（本発明のコンピュータ、制御部の一例）１２、記憶部１４、無線通信Ｉ／Ｆ１６、携帯電話通信Ｉ／Ｆ１８、ＬＣＤ（liquid crystal displayの略）（本発明の表示部の一例）２０、タッチパネル（本発明の操作部の一例）２２を主に備えている。これらの構成要素は、入出力ポート２８を介して互いに通信可能とされている。
【００１１】
無線通信Ｉ／Ｆ１６は、ＩＥＥＥの８０２．１１の規格およびそれに準ずる規格に基づいて、Ｗｉ-Ｆｉ (R)（Wi-Fi Allianceの登録商標）方式（ＷＦ方式と略して記載する場合もある）の無線通信３０を行うことが可能とされている。すなわち、携帯電話１０は、アクセスポイント５２へアクセスし、ＷＦ方式の無線通信３０を行える状態になれば、アクセスポイント５２を介して、スキャナ５０とデータ通信することが可能になる。  
【００１２】
携帯電話通信Ｉ／Ｆ１８は、基地局５６との間で携帯電話通信方式の無線通信３２を行うことが可能とされている。すなわち、携帯電話１０は、携帯電話通信方式の無線通信３２を行える状態になれば、基地局５６を介して、データ通信することが可能になる。
【００１３】
ＣＰＵ１２は、記憶部１４内の表示アプリケーション（本発明の制御プログラムの一例）３６に従って処理を実行する。表示アプリケーション３６は、スキャンデータに基づく画像をＬＣＤ２０に表示するためのプログラムである。以降、表示アプリケーション３６を実行するＣＰＵ１２のことを、単にプログラム名でも記載する場合がある。例えば、「表示アプリケーション３６が」という記載は、「表示アプリケーション３６を実行するＣＰＵ１２が」ということを意味する場合がある。
【００１４】
また、記憶部１４は、データ記憶領域３８を備える。データ記憶領域３８は、スキャナ５０から取得したスキャンデータ、表示アプリケーション３６の実行に必要なデータなどを記憶する領域である。なお、記憶部１４は、ＲＡＭ（Random Access Memoryの略）、ＲＯＭ（Read Only Memoryの略）、フラッシュメモリー、ＨＤＤ（ハードディスクの略）、ＣＰＵ１２が備えるバッファなどが組み合わされて構成されている。
【００１５】
ＬＣＤ２０は、携帯電話１０の各種機能を表示する表示面を備える。タッチパネル２２は、タッチセンサを有し、ＬＣＤ２０の表示面を覆うように配置されている。タッチパネル２２は、ユーザの指、タッチペン等のタッチパネル２２への接近・接触を検出し、検出に応じて電気信号を出力する。
【００１６】
＜通信システムを利用した画像の表示＞
通信システム１では、スキャナ５０が、携帯電話１０からの指令に従って、スキャン処理を実行し、スキャン処理により作成されたスキャンデータが、携帯電話１０に送信される。携帯電話１０では、受信したスキャンデータに基づく画像が、ＬＣＤ２０に表示される。そして、ＬＣＤ２０に表示された画像が、タッチパネル２２への操作により、回転され、ＬＣＤ２０に表示された画像の表示角度が調整される。
【００１７】
具体的には、携帯電話１０において、スキャンデータに基づく画像の表示処理を実行するためのボタン（図示省略）が操作されると、ＬＣＤ２０に、スキャン処理を行うための画面（図示省略）が表示される。この画面には、設定ボタン（図示省略）とスキャンボタン（図示省略）とが表示されている。設定ボタンは、スキャン処理の条件を設定するためのボタンであり、設定ボタンへの操作により、解像度，モノクロスキャンとカラースキャンとの何れかの選択，スキャナ５０のフラットベットとＡＤＦとの何れの原稿をスキャンするかの選択等が設定される。また、スキャンボタンは、スキャン処理を実行するためのボタンであり、設定されたスキャン処理条件に従ったスキャン処理の実行指令が、スキャンボタンの操作により、スキャナ５０に送信される。
【００１８】
スキャナ５０は、実行指令を受信すると、指令に応じたスキャン処理を実行し、スキャン処理により作成されたスキャンデータを、携帯電話１０に送信する。携帯電話１０は、スキャンデータを受信すると、図２に示すように、ＬＣＤ２０に編集画面７０を表示する。編集画面７０には、表示欄７２と、回転ボタン７４と、トリミングボタン（本発明の第３操作子の一例）７６と、完了ボタン７８とが表示される。表示欄７２には、受信したスキャンデータに基づく画像が表示される。回転ボタン７４は、表示欄７２に表示された画像の回転処理を実行するためのボタンである。トリミングボタン７６は、表示欄７２に表示された画像のトリミング処理を実行するためのボタンである。完了ボタン７８は、編集画面７０での操作が完了した際に操作されるボタンである。
【００１９】
編集画面７０において、回転ボタン７４が操作されると、図３に示すように、回転処理画面８０が、ＬＣＤ２０に表示される。回転処理画面８０には、表示欄８２と、左回転ボタン（本発明の第１操作子の一例）８４と、右回転ボタン（本発明の第１操作子の一例）８６と、調整スライダ（本発明の第２操作子の一例）８８と、完了ボタン９０とが表示される。表示欄８２には、編集画面７０の表示欄７２に表示されていた画像が表示される。左回転ボタン８４は、表示欄８２に表示された画像を左方向に９０度回転させるためのボタンである。右回転ボタン８６は、表示欄８２に表示された画像を右方向に９０度回転させるためのボタンである。調整スライダ８８は、表示欄８２に表示された画像を任意の方向に任意の角度回転させるためのボタンである。完了ボタン９０は、回転処理画面８０での操作が完了した際に操作されるボタンである。タッチパネル２２は、前述したボタンがユーザにより操作されることにより、当該操作に応じた信号を出力する。また、タッチパネル２２は調整スライダ８８のスライド部９８が操作されることにより、当該操作に応じた信号を出力する。
【００２０】
回転処理画面８０において、左回転ボタン８４が操作されると、図４に示すように、表示欄８２に表示されている画像が、左方向に９０度回転する。また、右回転ボタン８６が操作されると、表示欄８２に表示されている画像が、右方向に９０度回転する。これにより、例えば、９０度傾いた状態でスキャンされた原稿の画像、つまり、横倒しの状態の画像を、正常な状態の画像として、ＬＣＤ２０に表示することが可能となる。また、左回転ボタン８４が２回操作されると、表示欄８２に表示されている画像が、左方向に１８０度回転する。また、右回転ボタン８６が２回操作されると、表示欄８２に表示されている画像が、右方向に１８０度回転する。これにより、例えば、１８０度傾いた状態でスキャンされた原稿の画像、つまり、上下方向にひっくり返った状態の画像を、正常な状態の画像として、ＬＣＤ２０に表示することが可能となる。なお、画像が回転する際には、表示欄８２の中央を中心に回転する。
【００２１】
また、調整スライダ８８は、ガイド部９６とスライド部（本発明のスライド部の一例）９８とによって構成されている。ガイド部９６は、所定の長さの直線であり、携帯電話１０の左右方向に延びるようにＬＣＤ２０に表示されている。スライド部９８は、概して円形をなし、スライド部９８の中央に表示されており、ガイド部９６上において、ガイド部９６に沿った方向にスライド操作可能である。つまり、ユーザが、指，タッチペン等の操作媒体をスライド部９８に接近・接触させた状態で、操作媒体を左右方向に移動させることで、スライド部９８がガイド部９６上においてスライドする。このように、スライド部９８がスライド操作されることで、表示欄８２に表示されている画像が、スライド部９８のスライド方向に、スライド部９８のスライド量に応じた角度、回転する。
【００２２】
具体的には、例えば、スライド部９８を、図５に示すように、左方向に所定量スライドさせた場合には、表示欄８２に表示されている画像が、左方向に、スライド部９８のスライド量に応じた角度、回転する。一方、スライド部９８を、右方向に所定量スライドさせた場合には、表示欄８２に表示されている画像が、右方向に、スライド部９８のスライド量に応じた角度、回転する。なお、画像が回転する際には、表示欄８２の中央を中心に回転する。
【００２３】
また、スライド部９８がガイド部９６の左端までスライドされた場合、若しくは、スライド部９８がガイド部９６の右端までスライドされた場合に、表示欄８２に表示されている画像は、最も大きく回転するが、その際の画像の回転角度、つまり、スライド部９８への操作により回転する画像の最大回転角度は、左回転ボタン８４および右回転ボタン８６による回転角度、つまり、９０度以下の所定の角度に設定されている。つまり、調整スライダ８８への操作により、スライド部９８のスライド量を調整することで、表示欄８２に表示されている画像の表示角度を９０度以下の所定の角度以下の任意の角度に調整することが可能となる。これにより、例えば、スキャナ５０のフラットベッド、若しくは、ＡＤＦに僅かに傾いた状態でセットされた原稿が、スキャンされた場合に、編集画面７０の表示欄７２には、僅かに傾いた状態の画像が表示されるが、回転処理画面８０において、調整スライダ８８を操作することで、画像の表示角度を微調整し、表示欄８２に正常な状態の画像を表示することが可能となる。
【００２４】
なお、スライド部９８への操作により回転する画像の最大回転角度（以下、「画像最大回転角度」と記載する場合がある）は、小さな角度に設定されるほど、画像の表示角度を好適に調整することが可能となる。しかしながら、画像最大回転角度が小さすぎると、その画像最大回転角度より傾いた状態で表示された画像を正常な状態まで回転させることができない虞がある。特に、原稿が、フラットベッドにセットされる場合には、ＡＤＦにセットされる場合と比較して、傾いた状態でセットされる可能性が高い。このため、フラットベッドにセットされた原稿のスキャンデータに基づく画像が、傾いた状態で表示されている場合には、画像最大回転角度が小さすぎると、傾いた状態で表示された画像を正常な状態まで回転させることができない虞がある。
【００２５】
このようなことに鑑みて、フラットベッドに原稿がセットされた際のスキャンデータに基づく画像がＬＣＤ２０に表示された際の画像最大回転角度は、ＡＤＦに原稿がセットされた際のスキャンデータに基づく画像がＬＣＤ２０に表示された際の画像最大回転角度より大きく設定されている。具体的には、スキャン処理を行うための画面において、設定ボタンにより設定されたスキャン処理条件が、データ記憶領域３８に記憶されている。そして、スキャンデータに基づく画像がＬＣＤ２０に表示された際に、そのスキャンデータに応じたスキャン処理条件がデータ記憶領域３８から抽出される。そして、抽出されたスキャン処理条件から、スキャン対象の原稿がフラットベッドとＡＤＦと何れにセットされていたかが判定される。スキャン対象の原稿がフラットベッドにセットされていたと判定された場合には、画像最大回転角度は、１５度に設定される。また、スキャン対象の原稿がＡＤＦにセットされていたと判定された場合には、画像最大回転角度は、１０度に設定される。つまり、画像最大回転角度が、１０〜１５度という比較的小さな角度に設定されるとともに、大きく傾いた画像が表示される可能性の高い場合には、画像最大回転角度が、ある程度、大きな角度に設定される。これにより、画像の表示角度を好適に調整するとともに、原稿が、ある程度、大きく傾いた状態でフラットベッドにセットされた場合であっても、傾いた状態で表示された画像を正常な状態まで回転させることが可能となる。
【００２６】
また、回転処理画面８０において、完了ボタン９０が操作されると、図６に示すように、ＬＣＤ２０に編集画面７０が表示される。この編集画面７０の表示欄７２には、回転処理画面８０の表示欄８２に表示されていた画像が表示される。つまり、回転処理画面８０において画像の回転処理が行われていた場合には、回転処理により回転した画像が、回転処理画面８０の表示欄８２に表示される。
【００２７】
その編集画面７０において、トリミングボタン７６が操作されると、図７に示すように、ＬＣＤ２０にトリミング処理画面１００が表示される。トリミング処理画面１００には、表示欄１０２と、トリミング枠１０４と、完了ボタン１０６とが表示される。表示欄１０２には、編集画面７０の表示欄７２に表示されていた画像が表示され、その画像に重なった状態で、トリミング枠１０４が表示される。なお、トリミング枠１０４の内部の画像は、明度が高い状態で表示され、トリミング枠１０４の外部の画像は、明度が低い状態で表示される。
【００２８】
トリミング枠１０４は、表示欄１０２に表示された画像の任意の部分を切り取るためのものであり、トリミング枠１０４の頂点及び辺の各々には、拡大・縮小子１０８が付されている。拡大・縮小子１０８の内部には、矢印が記されており、拡大・縮小子１０８を矢印の方向にスライドさせることで、トリミング枠１０４が矢印の方向に、拡大若しくは、縮小する。つまり、ユーザが、指，タッチペン等の操作媒体を拡大・縮小子１０８に接近・接触させた状態で、操作媒体をその拡大・縮小子１０８に記されている矢印の方向に移動させることで、その矢印の方向にトリミング枠１０４が拡大若しくは、縮小する。これにより、トリミング枠１０４を任意の大きさに調整することが可能となる。また、トリミング枠１０４の中央部には、移動子１１０が付されている。移動子１１０は、トリミング枠１０４を移動させるためのものであり、ユーザが、指，タッチペン等の操作媒体を移動子１１０に接近・接触させた状態で、操作媒体を任意の位置に移動させることで、その位置にトリミング枠１０４が移動する。これにより、表示欄１０２に表示されている画像上の任意の位置に、トリミング枠１０４を移動させることが可能となる。
【００２９】
トリミング処理画面１００において、トリミング枠１０４が任意の大きさに調整され、トリミング枠１０４が任意の位置に移動された後に、完了ボタン１０６が操作されると、図８に示すように、ＬＣＤ２０に編集画面７０が表示される。この編集画面７０の表示欄７２には、トリミング処理画面１００の表示欄１０２に表示されていた画像のうちの、トリミング枠１０４の内部の画像（以下、「トリミング画像」と記載する場合がある）のみが表示される。これにより、トリミング処理画面１００の表示欄１０２に表示されていた画像のうちの、ユーザが望む部分の画像のみをＬＣＤ２０に表示することが可能となる。
【００３０】
また、携帯電話１０では、トリミング画像の回転角度を調整することが可能である。つまり、編集画面７０の表示欄７２にトリミング画像が表示されている状態で、回転ボタン７４が操作されると、図９に示すように、ＬＣＤ２０に回転処理画面８０が表示される。この回転処理画面８０の表示欄８２には、トリミング画像だけでなく、トリミング画像の外側の画像も表示される。つまり、表示欄８２には、トリミング処理画面１００の表示欄１０２に表示されていた画像が表示される。ただし、トリミング画像は、明度が高い状態で表示され、トリミング画像以外の画像は、明度の低い状態で表示される。このため、トリミング画像と、トリミング画像以外の画像との間には、トリミング枠１２０が表示される。
【００３１】
回転処理画面８０の表示欄８２にトリミング枠１２０が表示されている状態で、左回転ボタン８４が操作されると、図１０に示すように、表示欄８２に表示されている画像と、トリミング枠１２０との両方が、左方向に９０度回転する。なお、表示欄８２にトリミング枠１２０が表示されている場合には、画像とトリミング枠１２０との両方は、表示欄８２ではなく、トリミング枠１２０の中央を中心に回転する。そして、画像とトリミング枠１２０とが回転した後に、完了ボタン９０が操作されると、図１１に示すように、表示欄８２には、左方向に９０度回転した状態のトリミング枠１２０の内部の画像のみが、トリミング画像として表示される。なお、表示欄８２にトリミング枠１２０が表示されている状態で、右回転ボタン８６が操作された場合には、画像とトリミング枠１２０との両方が右方向に回転することを除いて、左回転ボタン８４が操作された場合と同じであるため、説明を省略する。
【００３２】
また、回転処理画面８０の表示欄８２にトリミング枠１２０が表示されている状態で、調整スライダ８８のスライド部９８がスライド操作されると、表示欄８２に表示されている画像が、スライド部９８のスライド方向に、スライド部９８のスライド量に応じた角度、回転する。この際、トリミング枠１２０は、回転しない。つまり、表示欄８２にトリミング枠１２０が表示されている状態で、スライド部９８がスライド操作されると、スライド操作に応じて、表示欄８２に表示されている画像のみが回転する。
【００３３】
具体的には、例えば、スライド部９８を、図１２に示すように、左方向に所定量スライドさせた場合には、トリミング枠１２０は回転せずに、表示欄８２に表示されている画像のみが、左方向に、スライド部９８のスライド量に応じた角度、回転する。なお、表示欄８２にトリミング枠１２０が表示されている場合には、画像は、表示欄８２ではなく、トリミング枠１２０の中央を中心に回転する。そして、画像が回転した後に、完了ボタン９０が操作されると、図１３に示すように、表示欄８２には、回転していない状態のトリミング枠１２０の内部の画像のみが、トリミング画像として表示される。
【００３４】
また、表示欄８２にトリミング枠１２０が表示されている状態で、スライド部９８を右方向に所定量スライドさせた場合には、表示欄８２に表示されている画像が右方向に回転することを除いて、スライド部９８を左方向に所定量スライドさせた場合と同じであるため、説明を省略する。なお、スライド部９８への操作により回転するトリミング画像の最大回転角度は、画像最大回転角度と同じ角度に設定されており、画像最大回転角度と同様に、表示されている画像の基となる原稿のフラットベッド、若しくは、ＡＤＦへのセット位置に応じて異なる角度に設定されている。
【００３５】
このように、トリミング画像が左回転ボタン８４若しくは、右回転ボタン８６の操作により回転された場合には、画像とともにトリミング枠１２０も回転する。これにより、横倒しの状態のトリミング画像、若しくは、上下方向にひっくり返った状態のトリミング画像を、正常な状態でＬＣＤ２０に表示することが可能となる。また、トリミング画像が調整スライダ８８の操作により回転された場合には、画像のみが回転し、トリミング枠１２０は回転しない。これにより、トリミング画像の姿勢を維持した状態で、画像のみの表示角度を微調整することが可能となる。
【００３６】
また、トリミング画像が回転される際には、トリミング枠１２０の内部の画像、つまり、トリミング画像だけでなく、トリミング枠１２０の外部の画像も表示される。これにより、ユーザは、画像全体を閲覧した状態で、トリミング画像を回転させることが可能となり、トリミング画像の回転処理を適切に行うことが可能となる。
【００３７】
＜表示アプリケーション＞
上述したスキャンデータに基づく画像のＬＣＤ２０への表示および表示された画像の回転処理等は、ＣＰＵ１２において表示アプリケーション３６が実行されることによって行われる。以下に、図１４乃至図１６を用いて、ＣＰＵ１２で表示アプリケーション３６が実行される際のフローを説明する。
【００３８】
表示アプリケーション３６が実行されると、スキャンボタンが操作されたか否かが、ＣＰＵ１２によって判断される（Ｓ１００）。スキャンボタンが操作されていない場合（Ｓ１００のＮＯ）には、Ｓ１００の処理が繰り返される。一方、スキャンボタンが操作された場合（Ｓ１００のＹＥＳ）には、スキャナ５０から送信されたスキャンデータを受信する（Ｓ１０２）。そして、受信したスキャンデータに基づく画像が、編集画面７０の表示欄７２に表示される（Ｓ１０４）。
【００３９】
編集画面７０の表示欄７２に画像が表示されると、トリミングボタン７６が操作されたか否かが、ＣＰＵ１２によって判断される（Ｓ１０６）。トリミングボタン７６が操作された場合（Ｓ１０６のＹＥＳ）には、ＬＣＤ２０にトリミング処理画面１００が表示され、トリミング処理画面１００の表示欄１０２に、画像とともに、トリミング枠１０４が表示される（Ｓ１０８）。そして、トリミング処理画面１００において完了ボタン１０６が操作され、編集画面７０がＬＣＤ２０に表示された後に、編集画面７０の回転ボタン７４が操作されたか否かが、ＣＰＵ１２によって判断される（Ｓ１１０）。
【００４０】
編集画面７０の回転ボタン７４が操作された場合（Ｓ１１０のＹＥＳ）には、ＬＣＤ２０に回転処理画面８０が表示され、回転処理画面８０の右回転ボタン８６が操作されたか否かが、ＣＰＵ１２によって判断される（Ｓ１１２）。右回転ボタン８６が操作されていない場合（Ｓ１１２のＮＯ）には、回転処理画面８０の左回転ボタン８４が操作されたか否かが、ＣＰＵ１２によって判断される（Ｓ１１４）。左回転ボタン８４が操作されていない場合（Ｓ１１４のＮＯ）には、調整スライダ８８のスライド部９８のスライダ位置が変更されたか否かが、ＣＰＵ１２によって判断される（Ｓ１１６）。
【００４１】
スライド部９８のスライダ位置が変更されている場合（Ｓ１１６のＹＥＳ）には、スライダ位置に応じた画像の回転角度が演算される（Ｓ１１８）。そして、回転処理画面８０の表示欄８２に表示されているトリミング枠１２０は回転されず、画像のみが、演算された角度に回転される（Ｓ１２０）。次に、回転処理画面８０において完了ボタン９０が操作され、編集画面７０がＬＣＤ２０に表示された後に、編集画面７０の完了ボタン７８が操作されたか否かが、ＣＰＵ１２によって判断される（Ｓ１２２）。完了ボタン７８が操作されていない場合（Ｓ１２２のＮＯ）には、Ｓ１０６に戻る。一方、完了ボタン７８が操作されている場合（Ｓ１２２のＹＥＳ）には、編集画面７０の表示欄７２に表示されている画像の画像データが、データ記憶領域３８に記憶される（Ｓ１２４）。そして、表示アプリケーション３６の処理が終了する。
【００４２】
また、Ｓ１１２で右回転ボタン８６が操作されている場合（Ｓ１１２のＹＥＳ）には、回転処理画面８０の表示欄８２に表示されている画像とトリミング枠１２０との両方が、右方向に９０度回転される（Ｓ１２６）。そして、Ｓ１２２以降の処理が行われる。また、Ｓ１１４で左回転ボタン８４が操作されている場合（Ｓ１１４のＹＥＳ）には、回転処理画面８０の表示欄８２に表示されている画像とトリミング枠１２０との両方が、左方向に９０度回転される（Ｓ１２８）。そして、Ｓ１２２以降の処理が行われる。
【００４３】
また、Ｓ１１６でスライド部９８のスライダ位置が変更されていない場合（Ｓ１１６のＮＯ）にも、Ｓ１２２以降の処理が行われる。さらに、Ｓ１１０で編集画面７０の回転ボタン７４が操作されていない場合（Ｓ１１０のＮＯ）にも、Ｓ１２２以降の処理が行われる。
【００４４】
また、Ｓ１０６でトリミングボタン７６が操作されていない場合（Ｓ１０６のＮＯ）には、編集画面７０において回転ボタン７４が操作されたか否かが、ＣＰＵ１２によって判断される（Ｓ１３０）。回転ボタン７４が操作された場合（Ｓ１３０のＹＥＳ）には、ＬＣＤ２０に回転処理画面８０が表示され、回転処理画面８０の右回転ボタン８６が操作されたか否かが、ＣＰＵ１２によって判断される（Ｓ１３２）。右回転ボタン８６が操作されていない場合（Ｓ１３２のＮＯ）には、回転処理画面８０の左回転ボタン８４が操作されたか否かが、ＣＰＵ１２によって判断される（Ｓ１３４）。左回転ボタン８４が操作されていない場合（Ｓ１３４のＮＯ）には、調整スライダ８８のスライド部９８のスライダ位置が変更されたか否かが、ＣＰＵ１２によって判断される（Ｓ１３６）。
【００４５】
スライド部９８のスライダ位置が変更されている場合（Ｓ１３６のＹＥＳ）には、スライダ位置に応じた画像の回転角度が演算される（Ｓ１３８）。そして、回転処理画面８０の表示欄８２に表示されている画像が、演算された角度に回転される（Ｓ１４０）。そして、Ｓ１２２以降の処理が行われる。
【００４６】
また、Ｓ１３２で右回転ボタン８６が操作されている場合（Ｓ１３２のＹＥＳ）には、回転処理画面８０の表示欄８２に表示されている画像が、右方向に９０度回転される（Ｓ１４２）。そして、Ｓ１２２以降の処理が行われる。また、Ｓ１３４で左回転ボタン８４が操作されている場合（Ｓ１３４のＹＥＳ）には、回転処理画面８０の表示欄８２に表示されている画像が、左方向に９０度回転される（Ｓ１４４）。そして、Ｓ１２２以降の処理が行われる。さらに、Ｓ１３６でスライド部９８のスライダ位置が変更されていない場合（Ｓ１３６のＮＯ）にも、Ｓ１２２以降の処理が行われる。
【００４７】
なお、Ｓ１０４、Ｓ１０８を実行するＣＰＵ１２は、表示手段の一例である。Ｓ１２６、Ｓ１２８、Ｓ１４２、Ｓ１４４を実行するＣＰＵ１２は、第１画像回転手段の一例である。Ｓ１２０、Ｓ１４０を実行するＣＰＵ１２は、第２画像回転手段の一例である。
【００４８】
なお、本発明は、上記実施形態に限定されるものではなく、当業者の知識に基づいて種々の変更、改良を施した種々の態様で実施することが可能である。具体的には、例えば、上記実施形態では、調整スライダ８８のスライド部９８を直接、ユーザが指，タッチペン等の操作媒体により操作することで、スライド部９８をスライドさせる構成とされているが、スライド部９８と異なるボタン等を、ユーザが操作媒体により操作することで、スライド部９８をスライドさせる構成を採用することが可能である。また、調整スライダ８８等を用いずに、ユーザが任意の数値を入力し、入力された数値に応じた角度に、画像が回転する構成であってもよい。
【００４９】
また、上記実施形態では、調整スライダ８８の操作により画像が回転する最大回転角度は、１０度、若しくは、１５度に設定されているが、左回転ボタン８４若しくは、右回転ボタン８６の操作により画像が回転する角度未満の角度であれば、任意に設定することが可能である。
【００５０】
また、上記実施形態では、左回転ボタン８４若しくは、右回転ボタン８６への操作により、９０度毎に回転する構成が採用されているが、９０度と異なる角度毎に回転する構成を採用することが可能である。ただし、画像を９０度、若しくは、１８０度に回転させる態様が多いことから、３０度、４５度等の９０度の約数となる角度毎に回転する構成を採用することが好ましい。
【００５１】
また、上記実施形態では、調整スライダ８８の操作により画像が回転する最大回転角度が、ＬＣＤ２０に表示される画像の基となる原稿のセット位置に応じて、異なる角度に設定されているが、原稿のセット位置ではなく、他のスキャン処理条件に応じて、異なる角度に設定することが可能である。また、調整スライダ８８の操作により画像が回転する最大回転角度が、スキャン処理条件に応じて、異なる角度に設定されなくてもよい。つまり、ＬＣＤ２０に表示される画像の基となる原稿のスキャン処理条件が異なる場合であっても、調整スライダ８８の操作により画像が回転する最大回転角度を同じ角度に設定することが可能である。
【００５２】
また、上記実施形態では、携帯電話１０のＬＣＤ２０にスキャンデータに基づく画像が表示され、その画像に対する回転処理等が実行されているが、スキャンデータ以外の画像データ、例えば、カメラ等の撮像装置による撮像データに基づく画像がＬＣＤ２０に表示され、その画像に対する回転処理等が実行されてもよい。
【００５３】
また、上記実施形態では、画像を表示し、その画像に対する回転処理等を実行するための装置として、携帯電話１０が採用されているが、ＬＣＤ２０等の表示部を有する装置であれば、タブレット等の他の携帯端末、ＰＣ等の据え置き型の情報処理装置を採用してもよい。
【００５４】
また、上記実施形態では、ＣＰＵ１２によって図１４乃至図１６に示す処理が実行される例を説明したが、これら処理は、ＣＰＵ１２に限らず、ＡＳＩＣや他の論理集積回路により実行されてもよいし、これら処理が、ＣＰＵ等やＡＳＩＣ、他の論理集積回路が協働することにより実行されてもよい。
【符号の説明】
【００５５】
１０：携帯電話、１２：ＣＰＵ、２０：ＬＣＤ、２２：タッチパネル、３６：表示アプリケーション、７６：トリミングボタン、８４：左回転ボタン、８６：右回転ボタン、８８：調整スライダ、９８：スライド部、
【図１】
2020120395.tif 000003
【図２】
2020120395.tif 000004
【図３】
2020120395.tif 000005
【図４】
2020120395.tif 000006
【図５】
2020120395.tif 000007
【図６】
2020120395.tif 000008
【図７】
2020120395.tif 000009
【図８】
2020120395.tif 000010
【図９】
2020120395.tif 000011
【図１０】
2020120395.tif 000012
【図１１】
2020120395.tif 000013
【図１２】
2020120395.tif 000014
【図１３】
2020120395.tif 000015
【図１４】
2020120395.tif 000016
【図１５】
2020120395.tif 000017
【図１６】
2020120395.tif 000018
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
表示部と操作部とを備える情報処理装置のコンピュータで読み取られるプログラムであって、
画像と、前記画像のトリミング枠と、第１操作子と、第２操作子とを前記表示部に表示する表示処理と、
前記操作部を介して、前記第１操作子に対する操作を受け付けた場合に、前記画像と前記トリミング枠とを所定の回転角度に回転させる第１回転処理と、
前記操作部を介して、前記第２操作子に対する操作を受け付けた場合に、前記トリミング枠を回転させることなく、前記画像を前記第２操作子に対する操作量に応じた回転角度に回転させる第２回転処理と、
を前記情報処理装置に実行させるプログラム。
【請求項２】
前記第２回転処理における前記操作量に応じた回転角度の最大角度が、前記所定の回転角度以下であることを特徴とする請求項１に記載のプログラム。
【請求項３】
前記第２回転処理において、前記トリミング枠の内部の画像と外部の画像とが表示され、トリミングが完了した場合に、前記トリミング枠の外部の画像を表示することなく、前記トリミング枠の内部の画像を表示させることを特徴とする請求項１又は請求項２に記載のプログラム。
【請求項４】
前記第２操作子は、前記表示部において、所定の方向にスライド操作が可能なスライド部を有し、
前記第２回転処理において、前記操作部を介して、前記スライド部に対するスライド操作を受け付けた場合に、前記トリミング枠を回転させることなく、前記画像を前記スライド部に対する操作量に応じた回転角度に回転させることを特徴とする請求項１乃至３の何れか１項に記載のプログラム。
【請求項５】
表示部と、
操作部と、
制御部と、
を備える情報処理装置であって、
画像と、前記画像のトリミング枠と、第１操作子と、第２操作子とを前記表示部に表示する表示処理と、
前記操作部を介して、前記第１操作子に対する操作を受け付けた場合に、前記画像と前記トリミング枠とを所定の回転角度に回転させる第１回転処理と、
前記操作部を介して、前記第２操作子に対する操作を受け付けた場合に、前記トリミング枠を回転させることなく、前記画像を前記第２操作子に対する操作量に応じた回転角度に回転させる第２回転処理と、
を前記制御部に実行させる情報処理装置。